(57)【特許請求の範囲】
【請求項１】
既存住宅のリフォームによる断熱効果のシミュレーション結果を表示する断熱効果表示システムであって、
断熱効果を示す断熱効果指標の算出基礎情報を保有した算出基礎情報データベースと、
前記断熱効果指標の複数の値に対応した複数の画像を保有した画像データベースと、
既存住宅のリフォーム情報を取得するリフォーム情報取得手段と、
取得したリフォーム情報と前記算出基礎情報とに基づき、リフォーム前及びリフォーム後の断熱効果指標を算出する断熱効果指標算出手段と、
前記算出されたリフォーム前及びリフォーム後の各々の断熱効果指標に基づき、前記画像データベースの複数の画像の中から対応する各々の画像を選択する画像選択手段と、
前記選択した画像を表示する画像表示手段と、
を有し、
前記複数の画像が前記断熱効果指標に対応したカラー表示画像であり、
前記画像表示手段が、前記選択したリフォーム前後の各々の画像を並べて表示することを特徴とする断熱効果表示システム。
【請求項２】
前記断熱効果指標が窓や壁の表面温度、上下温度差及び体感温度の少なくとも１つであることを特徴とする請求項１に記載の断熱効果表示システム。
【請求項３】
既存住宅のリフォームによる断熱効果のシミュレーション結果を表示する断熱効果表示システムであって、
断熱効果を示す断熱効果指標の算出基礎情報を保有した算出基礎情報データベースと、
前記断熱効果指標の複数の値に対応した複数の画像を保有した画像データベースと、
既存住宅のリフォーム情報を取得するリフォーム情報取得手段と、
取得したリフォーム情報と前記算出基礎情報とに基づき、リフォーム前及びリフォーム後の断熱効果指標を算出する断熱効果指標算出手段と、
前記算出されたリフォーム前及びリフォーム後の各々の断熱効果指標に基づき、前記画像データベースの複数の画像の中から対応する各々の画像を選択する画像選択手段と、
前記選択した画像を表示する画像表示手段と、
を有し、
前記断熱効果指標が着衣量であり、
前記断熱効果指標算出手段が、リフォーム前後のＰＭＶ値が同一となるようなリフォーム前後の各々の着衣量を算出し、
前記画像選択手段が、算出したリフォーム前後の各々の着衣量となるような衣服の組み合わせの画像を選択することを特徴とする断熱効果表示システム。
【請求項４】
既存住宅のリフォームによる断熱効果のシミュレーション結果を表示する断熱効果表示方法であって、
既存住宅のリフォーム情報を取得するリフォーム情報取得ステップと、
取得したリフォーム情報と算出基礎情報データベースが保有する断熱効果を示す断熱効果指標の算出基礎情報とに基づき、リフォーム前及びリフォーム後の断熱効果指標を算出する断熱効果指標算出ステップと、
前記算出されたリフォーム前及びリフォーム後の各々の断熱効果指標に基づき、画像データベースが保有する前記断熱効果指標の複数の値に対応した複数の画像の中から対応する各々の画像を選択する画像選択ステップと、
前記選択した画像を表示する画像表示ステップと、
を有し、
前記複数の画像が前記断熱効果指標に対応したカラー表示画像であり、
前記画像表示ステップが、前記選択したリフォーム前後の各々の画像を並べて表示することを特徴とする断熱効果表示方法。
【請求項５】
既存住宅のリフォームによる断熱効果のシミュレーション結果を表示する断熱効果表示方法であって、
既存住宅のリフォーム情報を取得するリフォーム情報取得ステップと、
取得したリフォーム情報と算出基礎情報データベースが保有する断熱効果を示す断熱効果指標の算出基礎情報とに基づき、リフォーム前及びリフォーム後の断熱効果指標を算出する断熱効果指標算出ステップと、
前記算出されたリフォーム前及びリフォーム後の各々の断熱効果指標に基づき、画像データベースが保有する前記断熱効果指標の複数の値に対応した複数の画像の中から対応する各々の画像を選択する画像選択ステップと、
前記選択した画像を表示する画像表示ステップと、
を有し、
前記断熱効果指標が着衣量であり、
前記断熱効果指標算出ステップが、リフォーム前後のＰＭＶ値が同一となるようなリフォーム前後の各々の着衣量を算出し、
前記画像選択ステップが、算出したリフォーム前後の各々の着衣量となるような衣服の組み合わせの画像を選択することを特徴とする断熱効果表示方法。
【請求項６】
既存住宅のリフォームによる断熱効果のシミュレーション結果を表示する断熱効果表示システムに、
既存住宅のリフォーム情報を取得するリフォーム情報取得ステップと、
取得したリフォーム情報と算出基礎情報データベースが保有する断熱効果を示す断熱効果指標の算出基礎情報とに基づき、リフォーム前及びリフォーム後の断熱効果指標を算出する断熱効果指標算出ステップと、
前記算出されたリフォーム前及びリフォーム後の各々の断熱効果指標に基づき、画像データベースが保有する前記断熱効果指標の複数の値に対応した複数の画像の中から対応する各々の画像を選択する画像選択ステップと、
前記選択した画像を表示する画像表示ステップと、
を実行させるための断熱効果表示プログラムであって、
前記複数の画像が前記断熱効果指標に対応したカラー表示画像であり、
前記画像表示ステップが、前記選択したリフォーム前後の各々の画像を並べて表示することを特徴とする断熱効果表示プログラム。
【請求項７】
既存住宅のリフォームによる断熱効果のシミュレーション結果を表示する断熱効果表示システムに、
既存住宅のリフォーム情報を取得するリフォーム情報取得ステップと、
取得したリフォーム情報と算出基礎情報データベースが保有する断熱効果を示す断熱効果指標の算出基礎情報とに基づき、リフォーム前及びリフォーム後の断熱効果指標を算出する断熱効果指標算出ステップと、
前記算出されたリフォーム前及びリフォーム後の各々の断熱効果指標に基づき、画像データベースが保有する前記断熱効果指標の複数の値に対応した複数の画像の中から対応する各々の画像を選択する画像選択ステップと、
前記選択した画像を表示する画像表示ステップと、
を実行させるための断熱効果表示プログラムであって、
前記断熱効果指標が着衣量であり、
前記断熱効果指標算出ステップが、リフォーム前後のＰＭＶ値が同一となるようなリフォーム前後の各々の着衣量を算出し、
前記画像選択ステップが、算出したリフォーム前後の各々の着衣量となるような衣服の組み合わせの画像を選択することを特徴とする断熱効果表示プログラム。
【発明の詳細な説明】
【技術分野】
【０００１】
本発明は、既存住宅のリフォームによる断熱効果のシミュレーション結果を表示する断熱効果表示システムに関するものである。
【背景技術】
【０００２】
従来、断熱性能に優れた窓、床、壁等を用いたリフォームが行われている。特に、近年のエネルギー事情に鑑み、省エネ対策として断熱効果を得るためのリフォームが注目されている。
【０００３】
リフォームによる断熱効果は、既存住宅の条件や、使用するガラス材、床材、壁材等により異なるため、リフォーム業者等が顧客に対してこのようなリフォームを提案する際には、リフォームにより断熱効果がどれ位得られるのかを提示する必要がある。顧客は提示された断熱効果と必要なコストに基づいて、リフォームを行うかどうかを検討する。そのため、既存住宅の条件や、使用する窓材、床材、壁材等による断熱効果を比較するための様々なシステムが提案されている。
【０００４】
例えば、特許文献１には、既存の住宅の開口部に断熱窓を設置することによる断熱性能効果をシミュレーション評価する、開口部の断熱性能評価システムに関する発明が記載されている。また、特許文献２には、住宅に使用するガラスの種類によって居住性能がどのように変わるかをコンピュータシミュレーションによって評価し、視覚的に表示させる居住性能評価システムに関する発明が記載されている。
【先行技術文献】
【特許文献】
【０００５】
【特許文献１】特開２００８−２１７３２８号公報
【特許文献２】特開２０００−２７５４３号公報
【発明の概要】
【発明が解決しようとする課題】
【０００６】
しかしながら、特許文献１に記載された発明は、改修前と改修後における、年間負荷、電力消費量、電力量料金、ＣＯ２排出量等の数値を表形式にして表示するものであり、顧客がリフォームを行うかどうかを検討するに際し、リフォームの効果を直感的に感じることができない。また、グラフにより表示したとしても、直観的なわかりやすさには繋がりにくい。
【０００７】
また、特許文献２に記載された発明は、コンピュータシミュレーションによる居住性能の変化を視覚的に表示させるものであり、各種のアニメーション表示が具体例として記載されているが、表示するアニメーションの種類については開示されているものの、評価結果から表示するアニメーションをどのように選択するかという具体的なシステム構成が開示されていない。そのため、表示するアニメーションの内容によっては、システム構成が複雑になることが予想され、顧客がリフォームを行うかどうかを検討するに際し、表示されたアニメーションを見ることにより、リフォームの効果を直感的に感じることができるかどうかも不明である。また、表示するアニメーションの種類にも改善の余地がある。
【０００８】
さらに、一口に断熱効果といっても、顧客がリフォームにあたって注目する観点は、省エネ、安全性、快適性、健康面等の多岐に亘っており、従来のシステムでは、これらの観点に基づく評価を的確に提供することができない。
【０００９】
本発明は、上記従来の課題を解決するものであり、簡易なシステム構成により、顧客がリフォームを行うかどうかを検討するに際し、リフォームの効果を直感的にわかりやすく表示することの可能な、断熱効果表示システムを提供するものである。
【課題を解決するための手段】
【００１０】
上記課題を解決するため、本発明の断熱効果表示システムは、既存住宅のリフォームによる断熱効果のシミュレーション結果を表示する断熱効果表示システムであって、断熱効果を示す断熱効果指標の算出基礎情報を保有した算出基礎情報データベースと、前記断熱効果指標の複数の値に対応した複数の画像を保有した画像データベースと、既存住宅のリフォーム情報を取得するリフォーム情報取得手段と、取得したリフォーム情報と前記算出基礎情報とに基づき、リフォーム前及びリフォーム後の断熱効果指標を算出する断熱効果指標算出手段と、前記算出されたリフォーム前及びリフォーム後の少なくとも１つの断熱効果指標に基づき、前記画像データベースの複数の画像の中から対応する画像を選択する画像選択手段と、前記選択した画像を表示する画像表示手段と、を有することを特徴とする。
【００１１】
また好ましくは、前記画像選択手段が、算出されたリフォーム前及びリフォーム後の各々の断熱効果指標に基づき、前記画像データベースの複数の画像の中から対応する各々の画像を選択することを特徴とする。
【００１２】
また好ましくは、前記断熱効果指標が窓や壁の表面温度であることを特徴とする。
【００１３】
また好ましくは、前記断熱効果指標が上下温度差であることを特徴とする。
【００１４】
また好ましくは、前記断熱効果指標が着衣量であることを特徴とする。
【００１５】
また好ましくは、前記断熱効果指標が結露量であることを特徴とする。
【００１６】
本発明の断熱効果表示方法は、既存住宅のリフォームによる断熱効果のシミュレーション結果を表示する断熱効果表示方法であって、既存住宅のリフォーム情報を取得するリフォーム情報取得ステップと、取得したリフォーム情報と算出基礎情報データベースが保有する断熱効果を示す断熱効果指標の算出基礎情報とに基づき、リフォーム前及びリフォーム後の断熱効果指標を算出する断熱効果指標算出ステップと、前記算出されたリフォーム前及びリフォーム後の少なくとも１つの断熱効果指標に基づき、画像データベースが保有する前記断熱効果指標の複数の値に対応した複数の画像の中から対応する画像を選択する画像選択ステップと、前記選択した画像を表示する画像表示ステップと、を有することを特徴とする。
【００１７】
本発明の断熱効果表示プログラムは、既存住宅のリフォームによる断熱効果のシミュレーション結果を表示する断熱効果表示システムに、既存住宅のリフォーム情報を取得するリフォーム情報取得ステップと、取得したリフォーム情報と算出基礎情報データベースが保有する断熱効果を示す断熱効果指標の算出基礎情報とに基づき、リフォーム前及びリフォーム後の断熱効果指標を算出する断熱効果指標算出ステップと、前記算出されたリフォーム前及びリフォーム後の少なくとも１つの断熱効果指標に基づき、画像データベースが保有する前記断熱効果指標の複数の値に対応した複数の画像の中から対応する画像を選択する画像選択ステップと、前記選択した画像を表示する画像表示ステップと、を実行させるためのものである。
【発明の効果】
【００１８】
本発明の断熱効果表示システムは、既存住宅のリフォームによる断熱効果のシミュレーション結果を表示するものであり、既存住宅のリフォーム情報を取得するリフォーム情報取得手段により取得したリフォーム情報と、算出基礎情報データベースが保有する算出基礎情報とに基づき、断熱効果指標算出手段がリフォーム前及びリフォーム後の断熱効果を示す断熱効果指標を算出するようになっている。そして、画像選択手段が、算出されたリフォーム前及びリフォーム後の少なくとも１つの断熱効果指標に基づき、画像データベースの複数の画像の中から、対応する画像を選択して画像表示手段により表示するようになっている。従って、顧客がリフォームを行うかどうかを検討するに際し、断熱効果指標に対応した画像を見ることにより、リフォームの効果を直感的に把握することができる。また入力する情報が変われば断熱効果指標の算出結果が変わり、それに応じて表示される画像も変化するので、リフォーム情報の違いによる断熱効果の違いが一目瞭然である。また、表示する複数の画像は、画像データベースに断熱効果指標の複数の値に対応して保有されており、断熱効果指標が定まれば自動的に画像が選択されるので、簡易なシステム構成により実現することができる。
【００１９】
また、予め用意する断熱効果指標と画像との組み合わせを変化させることにより、省エネ、安全性、快適性、健康面等の様々な観点から、リフォームによる断熱効果の評価を顧客に的確に提供することができる。
【００２０】
また、画像選択手段が、算出されたリフォーム前及びリフォーム後の各々の断熱効果指標に基づき、画像データベースの複数の画像の中から対応する各々の画像を選択することにより、リフォーム前後の画像を見比べてリフォームによる断熱効果を直感的に把握することができる。
【００２１】
また、断熱指標を窓や壁の表面温度とした場合には、同じ室温でも異なる体感温度の改善効果を、わかりやすく表示することができる。
【００２２】
また、断熱指標を上下温度差とした場合には、部屋の上下の温度差を縮小させる効果を、わかりやすく表示することができる。
【００２３】
また、断熱指標を着衣量とした場合には、保温効果を高めて室内温度の変化を抑える効果を、着衣量に置き換えてわかりやすく表示することができる。
【００２４】
また、断熱指標を結露量とした場合には、結露を減少させる効果を、わかりやすく表示することができる。
【００２５】
以上、本発明によれば、簡易なシステム構成により、顧客がリフォームを行うかどうかを検討するに際し、リフォームの効果を直感的にわかりやすく表示することの可能な、断熱効果表示システムを提供することができる。
【図面の簡単な説明】
【００２６】
【図１】本発明の実施形態に係る断熱効果表示システムの構成図である。
【図２】画像データベース（窓や壁の表面温度）を示す図である。
【図３】画像データベース（上下温度差）を示す図である。
【図４】画像データベース（着衣量）を示す図である。
【図５】画像データベース（結露量）を示す図である。
【図６】断熱効果表示システムのフローチャートである。
【図７】断熱効果表示システムのネットワーク構成図である。
【図８】表示画面を示す図である。
【図９】表示画面を示す図である。
【図１０】表示画面を示す図である。
【図１１】表示画面を示す図である。
【図１２】表示画面を示す図である。
【図１３】表示画面を示す図である。
【発明を実施するための形態】
【００２７】
次に、図１乃至図１３を参照して、本発明の実施形態に係る断熱効果表示システムについて説明する。まず、図１乃至図５を参照して、本実施形態に係る断熱効果表示システム１００の構成について説明する。図１は、断熱効果表示システム１００の構成図である。
【００２８】
図１に示すように、断熱効果表示システム１００は、リフォーム情報取得手段１０、断熱効果指標算出手段２０、画像選択手段３０、画像表示手段４０、算出基礎情報データベース５０、及び画像データベース６０を有している。
【００２９】
リフォーム情報取得手段１０は、本システムの操作者によって入力された既存住宅のリフォーム情報を取得する。既存住宅のリフォーム情報とは、居住地域、住宅の形態、建築年、延床面積、階数、世帯人数、家族構成、改修予定範囲（改修予定の部屋の種類、面積、外壁に面する数、窓の方位・大きさ等）、利用する冷暖房機器等の、リフォーム対象の既存住宅に関する情報である。
【００３０】
断熱効果指標算出手段２０は、リフォーム前及びリフォーム後の断熱効果指標を算出する。断熱効果指標とは、断熱効果を示す指標であり、本実施形態では、窓や壁の表面温度、上下温度差、着衣量、結露量の４つとしている。断熱効果指標の算出は、リフォーム情報取得手段１０で取得したリフォーム情報と算出基礎情報データベース５０が保有する算出基礎情報とに基づいて行う。
【００３１】
算出基礎情報データベース５０が保有する算出基礎情報とは、採用した断熱効果指標を算出するために必要となる基礎情報であり、「地域毎・建築年代別による住宅の断熱性能値」、「地域毎・地区毎の外気温度」、「部材の熱抵抗値」、「部材の熱貫流率」等が挙げられる。算出基礎情報と既存住宅のリフォーム情報とを併せることにより、断熱効果指標を算出することができる。
【００３２】
画像選択手段３０は、断熱効果指標算出手段２０により算出されたリフォーム前及びリフォーム後の各々の断熱効果指標に基づき、画像データベース６０の複数の画像の中から対応する各々の画像を選択する。
【００３３】
画像データベース６０は、４つの断熱指標に対応した、画像データベース（窓や壁の表面温度）６１、画像データベース（上下温度差）６２、画像データベース（着衣量）６３、及び画像データベース（結露量）６４から構成されている。図２乃至図５は、各々のデータベースを示す図である。
【００３４】
図２に示す画像データベース（窓や壁の表面温度）６１は、窓や壁の表面温度（窓や壁の表面温度１、窓や壁の表面温度２、窓や壁の表面温度３・・・）と、画像（画像１１、画像１２、画像１３、・・・）とを対応させて保有している。体感温度は、同じ室温でも窓や壁等の輻射熱に大きく影響されるため、リフォーム前後で窓や壁等の表面温度がどう変化するかを表示するとわかりやすい。そのため、各々の窓や壁の表面温度に対応するように、窓や壁等の表面温度を暖色〜寒色のカラー表示により示した画像を保有する。
【００３５】
図３に示す画像データベース（上下温度差）６２は、上下温度差（上下温度差１、上下温度差２、上下温度差３、・・・）と、画像（画像２１、画像２２、画像２３、・・・）とを対応させて保有している。室内の上下の温度差を小さくすることで、快適性が向上しエアコン等の使用量も低減することができる。そのため、例えば、室内の床上１０ｃｍ、１１０ｃｍ、２００ｃｍの各高さにおける温度の組み合わせを上下温度差とし、各々の上下温度差に対応するように、室温を暖色〜寒色のカラー表示により示した画像を保有する。
【００３６】
図４に示す画像データベース（着衣量）６３は、着衣量（着衣量１、着衣量２、着衣量３、・・・）と、画像（画像３１、画像３２、画像３３、・・・）とを対応させて保有している。室内の保温効果が優れていると、睡眠前に暖房を切っても、夜中にトイレで起きた場合や朝起きた時に、少ない着衣量でも寒さを感じない。そのため、例えば、起床時の着衣量を算出し、各々の着衣量に対応するように、着衣量の異なる種類の衣服等を示した画像を保有する。
【００３７】
着衣量の算出にあたっては、温熱環境指標を利用することができる。温熱環境指標とは、人体と環境との熱交換に影響を与える要素（温熱環境要素）の複合影響を単一の指標で表現するためのものである。温熱環境要素の主要素は、代謝量、着衣量、空気温度、放射温度、気流、湿度であり、温熱環境指標の値が同じ場合、空気温度や放射温度が上昇すれば、着衣量は少なくなる。従って、リフォームによる断熱効果（室内の空気温度や放射温度の上昇）を着衣量の減少により表現することができるわけである。温熱環境指標としては、様々な提案がなされており、「作用温度」、「ＰＭＶ（予想平均温冷感申告）」、「新有効温度（ＥＴ＊）」、「新標準有効温度（ＳＥＴ＊）」、「等価温度」、「快適方程式」、「数値人体モデルによる解析」等が挙げられる。
【００３８】
温熱環境指標の一例として、ＰＭＶとクロ値を利用した場合について説明する。ＰＭＶは、温熱環境の６要素を代入すると、その条件で、大多数の人が感ずる温冷感を数値（＋３暑い、＋２暖かい、＋１やや暖かい、０どちらでもない、−１やや涼しい、−２涼しい、−３寒い）として表現するものである。また、温熱環境の６要素とは、着衣量（クロ値）、代謝量（メット値）、空気温度、放射温度、気流、湿度である。また、クロ値は、着衣の熱抵抗を表す単位であり、着衣内の伝導の計算と着衣の保温性の評価に用いられる。
【００３９】
従って、同じＰＭＶ値の場合、空気温度や放射温度が上昇すれば、着衣量（クロ値）は少なくなる。ＰＭＶとクロ値を利用して保温効果を画像として表現するには、リフォーム前後のＰＭＶ値が同一となるような着衣量（クロ値）を算出し、その着衣量（クロ値）となるような衣服の組み合わせを示せばよい。
【００４０】
なお、快適性（快適温度）を考える場合に、予想不満足者率（ＰＰＤ）や快適温度範囲（ＡＳＨＲＡＥによる）といった指標も提案されており、さらに局所温冷感（局所不快感）、室内上下温度分布、床温度、不均一放射といった要素も快適性に影響を与えることが知られている。従って、これらの指標や要素を勘案しながら着衣量を算出してもよいし、これらの指標や要素を用いて新たな断熱効果指標を定めるようにしてもよい。
【００４１】
図５に示す画像データベース（結露量）６４は、結露量（結露量１、結露量２、結露量３、・・・）と、画像（画像４１、画像４２、画像４３、・・・）とを対応させて保有している。リフォーム前後の結露量の違いを、窓ガラスに付着した水滴や、コップ等の容器に入れた水滴の画像により表現することができる。そのため、結露による水滴量を算出し、各々の水滴量に対応するように、異なる窓ガラスや水滴を入れたコップ等の容器の画像を保有する。
【００４２】
図６は、本実施形態に係る断熱効果表示システムの断熱効果表示処理を示すフローチャートである。まず、リフォーム情報取得手段１０が、本システムの操作者によって入力された既存住宅のリフォーム情報を取得する（ステップＳ１００）。次に、断熱効果指標算出手段２０が、取得したリフォーム情報と算出基礎情報データベース５０が保有する断熱効果指標の算出基礎情報に基づき、リフォーム前及びリフォーム後の断熱効果指標を算出する（ステップＳ２００）。次に、画像選択手段３０が、算出されたリフォーム前及びリフォーム後の各々の断熱効果指標に基づき、画像データベース６０が保有する断熱効果指標の複数の値に対応した複数の画像の中から対応する各々の画像を選択する（ステップＳ３００）。次に、画像表示手段４０が、選択した画像を表示する（ステップＳ４００）。以上により、断熱効果表示処理が行われる。
【００４３】
また、本実施形態に係る断熱効果表示システムは、汎用パソコンに上記断熱効果表示処理を行わせるプログラムをインストールし、入出力処理を１台のパソコンで実現することもできるし、図７に示すようなネットワーク構成により実現することもできる。図７に示すネットワーク構成では、サーバ１と端末２，３とをインターネット等のネットワーク４を介して接続する。そして、既存住宅のリフォーム情報を端末２や端末３から入力してサーバ１に送信し、サーバ１による断熱効果表示処理結果を端末２や端末３に送信する。このような構成によれば、例えば、断熱効果表示処理を行うサーバ１を本社等に配置し、工務店の店頭や展示会などで、パソコンやタブレット等の汎用端末を用いて、簡単にリフォームによる断熱効果のシミュレーション結果を表示することができる。
【００４４】
次に、図８乃至図１３を参照して、本実施形態に係る断熱効果表示システムの具体的な画面表示について説明する。図８乃至図１３は、断熱効果のシミュレーション結果を示す表示画面である。
【００４５】
図８は、断熱効果による暖冷房費の削減を省エネ効果として示したものである。
【００４６】
図９は、断熱効果指標を窓や壁の表面温度としたものであり、断熱効果による窓や壁の表面温度の違いを体感温度の違いとして示したものである。図９に示すように、窓の表面温度が、リフォーム前には９．５℃であったものが、リフォーム後には１５．７℃になっており、各々の温度に対応した暖色〜寒色のカラー表示の画像が並べて表示されている。従って、リフォーム前後の画像を見比べて、リフォームによる窓や壁の表面温度の違いを直感的に把握することができる。
【００４７】
図１０は、断熱効果指標を上下温度差としたものであり、断熱効果による室内の上下の温度差の違いを示したものである。図１０に示すように、上下温度差が、リフォーム前には２．６℃（２１．３−１８．７）であったものが、リフォーム後には０．２℃（２０．１−１９．９）になっており、各々の上下温度差に対応した暖色〜寒色のカラー表示の画像が並べて表示されている。従って、リフォーム前後の画像を見比べて、リフォームによる上下温度差の違いを直感的に把握することができる。
【００４８】
図１１は、断熱効果指標を着衣量としたものであり、断熱効果による着衣量の違いを保温効果の違いとして示したものである。図１１に示すように、着衣量が、リフォーム前には１．５クロであったものが、リフォーム後には０．５クロになっており、各々のクロ値に対応した着衣例の画像が並べて表示されている。従って、リフォーム前後の画像を見比べて、リフォームによる保温効果の違いを直感的に把握することができる。
【００４９】
図１２は、断熱効果指標を結露量としたものであり、断熱効果による結露量の違いを示したものである。図１２に示すように、結露量が、リフォーム前には５リットル（牛乳パック５本）であったものが、リフォーム後には０リットル（牛乳パック０本）になっており、各々の結露量に対応した窓と牛乳パックの画像が並べて表示されている。従って、リフォーム前後の画像を見比べて、リフォームによる結露量の違いを直感的に把握することができる。
【００５０】
図１３は、リフォーム費用を示したものである。
【００５１】
本実施形態に係る断熱効果表示システム１００は、既存住宅のリフォームによる断熱効果のシミュレーション結果を表示するものであり、既存住宅のリフォーム情報を取得するリフォーム情報取得手段１０により取得したリフォーム情報と、算出基礎情報データベース５０が保有する算出基礎情報とに基づき、断熱効果指標算出手段２０がリフォーム前及びリフォーム後の断熱効果を示す断熱効果指標を算出するようになっている。そして、画像選択手段３０が、算出されたリフォーム前及びリフォーム後の各々の断熱効果指標に基づき、画像データベース６０の複数の画像の中から、対応する各々の画像を選択して画像表示手段４０により表示するようになっている。従って、顧客がリフォームを行うかどうかを検討するに際し、断熱効果指標に対応した画像を見ることにより、リフォームの効果を直感的に把握することができる。また入力する情報が変われば断熱効果指標の算出結果が変わり、それに応じて表示される画像も変化するので、リフォーム情報の違いによる断熱効果の違いが一目瞭然である。また、表示する複数の画像は、画像データベースに断熱効果指標の複数の値に対応して保有されており、断熱効果指標が定まれば自動的に画像が選択されるので、簡易なシステム構成により実現することができる。
【００５２】
また、予め用意する断熱効果指標と画像との組み合わせを変化させることにより、省エネ、安全性、快適性、健康面等の様々な観点から、リフォームによる断熱効果の評価を顧客に的確に提供することができる。
【００５３】
また、画像選択手段３０が、算出されたリフォーム前及びリフォーム後の各々の断熱効果指標に基づき、画像データベースの複数の画像の中から対応する各々の画像を選択することにより、リフォーム前後の画像を見比べてリフォームによる断熱効果を直感的に把握することができる。
【００５４】
また、断熱指標を窓や壁の表面温度とした場合には、同じ室温でも異なる体感温度の改善効果を、わかりやすく表示することができる。
【００５５】
また、断熱指標を上下温度差とした場合には、部屋の上下の温度差を縮小させる効果を、わかりやすく表示することができる。
【００５６】
また、断熱指標を着衣量とした場合には、保温効果を高めて室内温度の変化を抑える効果を、着衣量に置き換えてわかりやすく表示することができる。
【００５７】
また、断熱指標を結露量とした場合には、結露を減少させる効果を、わかりやすく表示することができる。
【００５８】
以上、本実施形態に係る断熱効果表示システムによれば、簡易なシステム構成により、顧客がリフォームを行うかどうかを検討するに際し、リフォームの効果を直感的にわかりやすく表示することができる。
【００５９】
以上、本発明の実施形態に係る断熱効果表示システムについて説明したが、本発明は上述した実施の形態に限定されるわけではなく、その他種々の変更が可能である。
【００６０】
例えば、上記実施形態では断熱効果指標として、窓や壁の表面温度、上下温度差、着衣量、結露量を例示したが、断熱効果指標は他のものを選択してもよいし、その数も限定されない。また、リフォーム情報の入力項目や、選択した断熱効果指標の算出の考え方も、特に限定されない。
【００６１】
断熱効果指標としては、上記実施形態における４つの指標以外にも、省エネ効果、体感温度、室内温度変化等を挙げることができる。ただし、上記実施形態における４つの指標のように、日常生活においてあまり意識しない指標、馴染みのない単位を用いるイメージし難い指標を対象とする場合の方が、直感的にわかりやすく表示できるようになるという効果は、より大きなものとなる。
【００６２】
また、上記実施形態では、リフォーム前の画像とリフォーム後の画像を同一の画面で表示する構成としたが、リフォーム前の画像とリフォーム後の画像を別々の画面で切り換えながら表示する構成としてもよい。ただし、同一の画面で表示することにより、より直感的にわかりやすく表示することができる。
【００６３】
また、上記実施形態では、算出されたリフォーム前及びリフォーム後の各々の断熱効果指標に基づき、画像データベースの複数の画像の中から対応する各々の画像を選択して表示するようにしたが、リフォーム前及びリフォーム後のいずれか１つの断熱効果指標に基づき対応する画像を選択して表示するようにしてもよい。いずれか１つの画像を表示するものであっても、顧客がリフォームを行うかどうかを検討するに際し、リフォームの効果を直感的に把握させる効果が見込まれる。ただし、リフォーム前後の両方の画像を表示することにより、より直感的にわかりやすく表示することができる。
【符号の説明】
【００６４】
１  サーバ
２  端末
３  端末
４  ネットワーク
１０  リフォーム情報取得手段
２０  断熱効果指標算出手段
３０  画像選択手段
４０  画像表示手段
５０  算出基礎情報データベース
６０  画像データベース
６１  画像データベース（窓や壁の表面温度）
６２  画像データベース（上下温度差）
６３  画像データベース（着衣量）
６４  画像データベース（結露量）
１００  断熱効果表示システム
【図１】
0006491436.tif 000002
【図２】
0006491436.tif 000003
【図３】
0006491436.tif 000004
【図４】
0006491436.tif 000005
【図５】
0006491436.tif 000006
【図６】
0006491436.tif 000007
【図７】
0006491436.tif 000008
【図８】
0006491436.tif 000009
【図９】
0006491436.tif 000010
【図１０】
0006491436.tif 000011
【図１１】
0006491436.tif 000012
【図１２】
0006491436.tif 000013
【図１３】
0006491436.tif 000014